(57)【要約】【課題】適正に配索材を配索することができるプロテクタ、及び、ワイヤハーネスを提供することを目的とする。【解決手段】ワイヤハーネスＷＨのプロテクタ１は、第１配索材Ｗ１及び第２配索材Ｗ２を第１並列方向に沿って並べて配索可能である第１配索空間部４１が形成された第１配索部５１と、第１配索材Ｗ１及び第２配索材Ｗ２を第２並列方向に沿って並べて配索可能である第２配索空間部４２が形成された第２配索部５２と、第２配索部５２に第２配索空間部４２側に突出して形成され、第２配索空間部４２内で第１配索材Ｗ１及び第２配索材Ｗ２が第２並列方向に沿って並んで配索された状態で当該第１配索材Ｗ１及び当該第２配索材Ｗ２に当接し配索経路を規制可能である規制突起部５７とを備えることを特徴とする。【選択図】図１４
2020182342.tif 000002
【特許請求の範囲】
【請求項１】
配索方向に沿って配索される第１配索材及び第２配索材を、前記配索方向と直交する第１並列方向に沿って並べて配索可能である第１配索空間部が形成された第１配索部と、
前記配索方向に沿って前記第１配索部と連続して設けられ、前記第１配索材及び前記第２配索材を、前記配索方向及び前記第１並列方向と直交する第２並列方向に沿って並べて配索可能である第２配索空間部が形成された第２配索部と、
前記第２配索部に前記第２配索空間部側に突出して形成され、前記第２配索空間部内で前記第１配索材及び前記第２配索材が前記第２並列方向に沿って並んで配索された状態で当該第１配索材及び当該第２配索材に当接し配索経路を規制可能である規制突起部とを備えることを特徴とする、
プロテクタ。
【請求項２】
前記規制突起部は、前記第２配索部において前記第２配索空間部を形成する第１内壁面から突出し前記第２並列方向に沿って延在するリブ部、及び、前記第２配索部において前記第１並列方向に対して前記第１内壁面と対向し前記第２配索空間部を形成する第２内壁面に角部状に突出して形成された突出角部を含む、
請求項１に記載のプロテクタ。
【請求項３】
前記突出角部は、前記第１配索材及び前記第２配索材の配索経路の前記第１並列方向に沿った幅を、前記第１配索部側から離間するにしたがって徐々に絞り込む、
請求項２に記載のプロテクタ。
【請求項４】
前記配索方向に沿って前記第２配索部の前記第１配索部側とは反対側で連続して設けられ、前記第１配索材及び前記第２配索材を、前記第１並列方向及び前記第２並列方向にずらして配索可能である第３配索空間部が形成された第３配索部を備え、
前記第２配索部は、前記第２配索空間部内で前記第１並列方向に対して前記第１配索材と前記第２配索材とを交差させ当該第１並列方向の並び位置を入れ替えて配索可能である、
請求項１乃至請求項３のいずれか１項に記載のプロテクタ。
【請求項５】
前記第３配索部は、前記第３配索空間部内で前記第１配索材及び前記第２配索材を前記第１並列方向の一方側に湾曲させ、かつ、前記第１並列方向に対して、前記第１配索材を湾曲内側に位置させ、前記第２配索材を湾曲外側に位置させて配索可能である、
請求項４に記載のプロテクタ。
【請求項６】
前記第１配索部の前記第１配索空間部内の前記第２配索部側の端部に設けられ、前記第２配索材を前記第１配索材に対して前記第２並列方向に沿って徐々にずらして配索可能である傾斜壁部を有する、
請求項１乃至請求項５のいずれか１項に記載のプロテクタ。
【請求項７】
前記傾斜壁部は、前記第１配索空間部内で前記第１並列方向に沿って前記第１配索材と隣接し、当該第１配索材と当接し配索経路を規制可能である規制面を有する、
請求項６に記載のプロテクタ。
【請求項８】
導電性を有する第１配索材、及び、第２配索材と、
前記第１配索材、及び、前記第２配索材に装着され当該第１配索材、及び、当該第２配索材を保護するプロテクタとを備え、
前記プロテクタは、
配索方向に沿って配索される前記第１配索材及び前記第２配索材を、前記配索方向と直交する第１並列方向に沿って並べて配索可能である第１配索空間部が形成された第１配索部と、
前記配索方向に沿って前記第１配索部と連続して設けられ、前記第１配索材及び前記第２配索材を、前記配索方向及び前記第１並列方向と直交する第２並列方向に沿って並べて配索可能である第２配索空間部が形成された第２配索部と、
前記第２配索部に前記第２配索空間部側に突出して形成され、前記第２配索空間部内で前記第１配索材及び前記第２配索材が前記第２並列方向に沿って並んで配索された状態で当該第１配索材及び当該第２配索材に当接し配索経路を規制可能である規制突起部とを備えることを特徴とする、
ワイヤハーネス。
【請求項９】
前記プロテクタは、
前記配索方向に沿って前記第２配索部の前記第１配索部側とは反対側で連続して設けられ、前記第１配索材及び前記第２配索材を、前記第１並列方向及び第２並列方向にずらして配索可能である第３配索空間部が形成された第３配索部を備え、
前記第２配索部は、前記第２配索空間部内で前記第１並列方向に対して前記第１配索材と前記第２配索材とを交差させ当該第１並列方向の並び位置を入れ替えて配索可能であり、
前記第１配索材、及び、前記第２配索材は、前記配索方向に沿って、前記第１配索空間部、前記第２配索空間部、及び、前記第３配索空間部に渡って挿通され、前記第１配索空間部内で前記第１並列方向に沿って並び、前記第２配索空間部内で前記第２並列方向に沿って並び、かつ、前記第１並列方向に対して交差して当該第１並列方向の並び位置が入れ替わり、前記第３配索空間部で前記第１並列方向及び第２並列方向にずれて配索される、
請求項８に記載のワイヤハーネス。
【発明の詳細な説明】
【技術分野】
【０００１】
本発明は、プロテクタ、及び、ワイヤハーネスに関する。
【背景技術】
【０００２】
車両に搭載され電線等の配索材に装着される従来のプロテクタとして、例えば、特許文献１には、樋状に延びるプロテクタ本体と、蓋体と、ロック機構とを備える電線収容プロテクタが開示されている。
【先行技術文献】
【特許文献】
【０００３】
【特許文献１】特許第６１９８１８３号公報
【発明の概要】
【発明が解決しようとする課題】
【０００４】
ところで、上述の特許文献１に記載の電線収容プロテクタは、例えば、車両に搭載された状態で周囲に種々の干渉物が存在する場合であっても適正に配索材を配索することができる構成が望まれている。
【０００５】
本発明は、上記の事情に鑑みてなされたものであって、適正に配索材を配索することができるプロテクタ、及び、ワイヤハーネスを提供することを目的とする。
【課題を解決するための手段】
【０００６】
上記目的を達成するために、本発明に係るプロテクタは、配索方向に沿って配索される第１配索材及び第２配索材を、前記配索方向と直交する第１並列方向に沿って並べて配索可能である第１配索空間部が形成された第１配索部と、前記配索方向に沿って前記第１配索部と連続して設けられ、前記第１配索材及び前記第２配索材を、前記配索方向及び前記第１並列方向と直交する第２並列方向に沿って並べて配索可能である第２配索空間部が形成された第２配索部と、前記第２配索部に前記第２配索空間部側に突出して形成され、前記第２配索空間部内で前記第１配索材及び前記第２配索材が前記第２並列方向に沿って並んで配索された状態で当該第１配索材及び当該第２配索材に当接し配索経路を規制可能である規制突起部とを備えることを特徴とする。
【０００７】
また、上記プロテクタでは、前記規制突起部は、前記第２配索部において前記第２配索空間部を形成する第１内壁面から突出し前記第２並列方向に沿って延在するリブ部、及び、前記第２配索部において前記第１並列方向に対して前記第１内壁面と対向し前記第２配索空間部を形成する第２内壁面に角部状に突出して形成された突出角部を含むものとすることができる。
【０００８】
また、上記プロテクタでは、前記突出角部は、前記第１配索材及び前記第２配索材の配索経路の前記第１並列方向に沿った幅を、前記第１配索部側から離間するにしたがって徐々に絞り込むものとすることができる。
【０００９】
また、上記プロテクタでは、前記配索方向に沿って前記第２配索部の前記第１配索部側とは反対側で連続して設けられ、前記第１配索材及び前記第２配索材を、前記第１並列方向及び前記第２並列方向にずらして配索可能である第３配索空間部が形成された第３配索部を備え、前記第２配索部は、前記第２配索空間部内で前記第１並列方向に対して前記第１配索材と前記第２配索材とを交差させ当該第１並列方向の並び位置を入れ替えて配索可能であるものとすることができる。
【００１０】
また、上記プロテクタでは、前記第３配索部は、前記第３配索空間部内で前記第１配索材及び前記第２配索材を前記第１並列方向の一方側に湾曲させ、かつ、前記第１並列方向に対して、前記第１配索材を湾曲内側に位置させ、前記第２配索材を湾曲外側に位置させて配索可能であるものとすることができる。
【００１１】
また、上記プロテクタでは、前記第１配索部の前記第１配索空間部内の前記第２配索部側の端部に設けられ、前記第２配索材を前記第１配索材に対して前記第２並列方向に沿って徐々にずらして配索可能である傾斜壁部を有するものとすることができる。
【００１２】
また、上記プロテクタでは、前記傾斜壁部は、前記第１配索空間部内で前記第１並列方向に沿って前記第１配索材と隣接し、当該第１配索材と当接し配索経路を規制可能である規制面を有するものとすることができる。
【００１３】
上記目的を達成するために、本発明に係るワイヤハーネスは、導電性を有する第１配索材、及び、第２配索材と、前記第１配索材、及び、前記第２配索材に装着され当該第１配索材、及び、当該第２配索材を保護するプロテクタとを備え、前記プロテクタは、配索方向に沿って配索される前記第１配索材及び前記第２配索材を、前記配索方向と直交する第１並列方向に沿って並べて配索可能である第１配索空間部が形成された第１配索部と、前記配索方向に沿って前記第１配索部と連続して設けられ、前記第１配索材及び前記第２配索材を、前記配索方向及び前記第１並列方向と直交する第２並列方向に沿って並べて配索可能である第２配索空間部が形成された第２配索部と、前記第２配索部に前記第２配索空間部側に突出して形成され、前記第２配索空間部内で前記第１配索材及び前記第２配索材が前記第２並列方向に沿って並んで配索された状態で当該第１配索材及び当該第２配索材に当接し配索経路を規制可能である規制突起部とを備えることを特徴とする。
【００１４】
また、上記ワイヤハーネスでは、前記プロテクタは、前記配索方向に沿って前記第２配索部の前記第１配索部側とは反対側で連続して設けられ、前記第１配索材及び前記第２配索材を、前記第１並列方向及び第２並列方向にずらして配索可能である第３配索空間部が形成された第３配索部を備え、前記第２配索部は、前記第２配索空間部内で前記第１並列方向に対して前記第１配索材と前記第２配索材とを交差させ当該第１並列方向の並び位置を入れ替えて配索可能であり、前記第１配索材、及び、前記第２配索材は、前記配索方向に沿って、前記第１配索空間部、前記第２配索空間部、及び、前記第３配索空間部に渡って挿通され、前記第１配索空間部内で前記第１並列方向に沿って並び、前記第２配索空間部内で前記第２並列方向に沿って並び、かつ、前記第１並列方向に対して交差して当該第１並列方向の並び位置が入れ替わり、前記第３配索空間部で前記第１並列方向及び第２並列方向にずれて配索されるものとすることができる。
【発明の効果】
【００１５】
本発明に係るプロテクタ、及び、ワイヤハーネスは、配索方向に沿って配索される第１配索材及び第２配索材の並び方向を、第１配索部では第１並列方向とし、第２配索部では第１並列方向と直交する第２並列方向とすることができる。この場合に、プロテクタは、第２配索部で第１配索材及び第２配索材が第２並列方向に沿って並んで配索された状態で、規制突起部によって第１配索材及び第２配索材の配索経路を規制することができる。この結果、プロテクタ、及び、ワイヤハーネスは、適正に配索材を配索することができる、という効果を奏する。
【図面の簡単な説明】
【００１６】
【図１】図１は、実施形態に係るプロテクタが適用されるワイヤハーネスの概略構成を表す斜視図である。
【図２】図２は、実施形態に係るプロテクタが適用されるワイヤハーネスの概略構成を表す分解斜視図である。
【図３】図３は、実施形態に係るプロテクタが適用されるワイヤハーネスの概略構成を表す分解斜視図である。
【図４】図４は、実施形態に係るプロテクタの概略構成を表す平面図である。
【図５】図５は、図４に示すＡ−Ａ断面図である。
【図６】図６は、図４に示すＢ−Ｂ断面図である。
【図７】図７は、図４に示すＣ−Ｃ断面図である。
【図８】図８は、図４に示すＤ−Ｄ断面図である。
【図９】図９は、図４に示すＥ−Ｅ断面図である。
【図１０】図１０は、実施形態に係るプロテクタが備える規制突起部を含む部分斜視図である。
【図１１】図１１は、実施形態に係るプロテクタが備える規制突起部を含む部分斜視図である。
【図１２】図１２は、実施形態に係るプロテクタが備える規制突起部を含む部分斜視図である。
【図１３】図１３は、実施形態に係るプロテクタが備える規制突起部を含む部分斜視図である。
【図１４】図１４は、実施形態に係るプロテクタが備える規制突起部を含む部分斜視図である。
【図１５】図１５は、実施形態に係るプロテクタが備える規制突起部を含む部分斜視図である。
【図１６】図１６は、図４に示すＦ−Ｆ断面図である。
【図１７】図１７は、実施形態に係るプロテクタの配索手順の一部を表す平面図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１８】
なお、以下で説明する図４、図１０〜図１７の各図は、プロテクタのカバーの図示を省略している。
【００１９】
［実施形態］
図１、図２、図３に示す本実施形態のプロテクタ１は、車両等に配索されるワイヤハーネスＷＨに組み込まれるものである。ここで、ワイヤハーネスＷＨは、例えば、車両に搭載される各機器間の接続のために、電源供給や信号通信に用いられる複数の配索材Ｗを束にして集合部品とし、コネクタ等で複数の配索材Ｗを各機器に接続するようにしたものである。本実施形態のワイヤハーネスＷＨは、導電性を有する配索材Ｗと、外装材としてのコルゲートチューブＣＴと、接続機構としてコネクタＣＮと、配索材Ｗに装着され当該配索材Ｗを保護するプロテクタ１とを備える。ワイヤハーネスＷＨは、この他、さらに、グロメット等の外装部材、電気接続箱、固定具など種々の構成部品を含んで構成されてもよい。
【００２０】
配索材Ｗは、例えば、金属棒、電線、電線束等によって構成される。金属棒は、導電性を有する棒状部材の外側を、絶縁性を有する被覆部によって覆ったものである。電線は、複数の導電性を有する金属素線からなる導体部（芯線）の外側を、絶縁性を有する被覆部によって覆ったものである。電線束は、当該電線を束ねたものである。本実施形態の配索材Ｗは、第１配索材Ｗ１、及び、第２配索材Ｗ２を含む。ここでは、第１配索材Ｗ１と第２配索材Ｗ２とは、略円形の断面形状に形成され、略同等の外径、形状であるものとして説明するがこれに限らない。コルゲートチューブＣＴは、絶縁性を有する樹脂材料によって可撓性を有する筒状（管状）に形成される。コルゲートチューブＣＴは、複数（ここでは２つ）設けられ、それぞれ内部に第１配索材Ｗ１、第２配索材Ｗ２が挿通され、当該第１配索材Ｗ１、当該第２配索材Ｗ２を保護する。コネクタＣＮは、第１配索材Ｗ１、第２配索材Ｗ２の一方の端部に接続され、第１配索材Ｗ１、第２配索材Ｗ２と装置とを電気的に接続する配索材対装置用接続装置を構成するものである。ワイヤハーネスＷＨは、複数の第１配索材Ｗ１、第２配索材Ｗ２を束ねて集約すると共に、束ねられた第１配索材Ｗ１、第２配索材Ｗ２の端末に設けられたコネクタＣＮ等を介して各種装置が電気的に接続される。プロテクタ１は、全体として略筒状に形成され、一方の端部にコネクタＣＮが設けられ、他方の端部にコルゲートチューブＣＴが設けられる。プロテクタ１は、一方の端部のコネクタＣＮから他方の端部のコルゲートチューブＣＴに渡って第１配索材Ｗ１、第２配索材Ｗ２が挿通され、第１配索材Ｗ１、第２配索材Ｗ２を保護すると共に第１配索材Ｗ１、第２配索材Ｗ２の配索経路を規制する。
【００２１】
本実施形態のプロテクタ１は、車両に搭載された状態で、周囲の干渉物を避けるように全体が湾曲し、かつ、外面に複数の窪み部１Ａ、１Ｂ、１Ｃ等が形成されている。このような構成において、本実施形態のプロテクタ１は、配索方向Ｘに対する第１配索材Ｗ１、第２配索材Ｗ２の並び方向を変えながら、これら第１配索材Ｗ１、第２配索材Ｗ２を配索することができるものである。これにより、本実施形態のプロテクタ１は、内部に並行して配索される第１配索材Ｗ１、第２配索材Ｗ２を適正に配索できるように構成されたものである。以下、各図を参照してプロテクタ１の構成について詳細に説明する。
【００２２】
具体的には、プロテクタ１は、絶縁性を有する樹脂材料によって略筒形状に形成される。プロテクタ１は、筒形状の内部に第１配索材Ｗ１、第２配索材Ｗ２が挿通され、配索される。本実施形態のプロテクタ１は、ベース１０と、カバー２０と、複数の係止機構３０とを備える。ベース１０とカバー２０とは、別体に形成される。各係止機構３０は、ベース１０側に設けられた係止受け部３１、及び、カバー２０側に設けられた係止片３２を含んで構成される。各係止機構３０は、係止受け部３１と係止片３２とが相互に係止されることで、ベース１０とカバー２０とを係止する。プロテクタ１は、ベース１０とカバー２０とが複数の係止機構３０によって相互に組み付けられることで、全体として略矩形筒形状に形成される。本実施形態のプロテクタ１は、内部に配索される第１配索材Ｗ１、第２配索材Ｗ２が湾曲されて配索される。つまり、本実施形態の第１配索材Ｗ１、第２配索材Ｗ２の配索方向Ｘは、３次元的に湾曲した方向となっている。この第１配索材Ｗ１、第２配索材Ｗ２の配索方向Ｘは、プロテクタ１の内部に配索される第１配索材Ｗ１、第２配索材Ｗ２の延在方向に相当する。
【００２３】
ベース１０は、内部に配索方向Ｘに沿って第１配索材Ｗ１、第２配索材Ｗ２が挿通、配索されるものである。ベース１０は、底面部１１、及び、一対の側壁部１２、１３を含んで構成される（図５等も参照）。底面部１１、側壁部１２、１３は、ベース１０の内部空間部として配索空間部４０を区画するための構造体である。配索空間部４０は、第１配索材Ｗ１、第２配索材Ｗ２が挿通、配索される空間部である。底面部１１は、板状に形成され、配索方向Ｘに沿って延在する。一対の側壁部１２、１３は、底面部１１の各端部からそれぞれ底面部１１の板厚方向に沿って突出して形成され、配索方向Ｘに沿って延在する。ベース１０は、底面部１１、及び、一対の側壁部１２、１３が一体で形成される。これにより、ベース１０は、略樋形状に形成される。ここでは、ベース１０は、底面部１１と板厚方向に対向する面、及び、配索方向Ｘの両端部が開口した略樋形状に形成される。ベース１０は、底面部１１、及び、側壁部１２、１３によって囲われた空間部が上述の配索空間部４０を構成する。底面部１１、一対の側壁部１２、１３、及び、これらによって区画される配索空間部４０は、全体として配索方向Ｘに沿って３次元的に湾曲して形成される。言い換えれば、ベース１０は、底面部１１、側壁部１２、１３、及び、配索空間部４０の湾曲した形状に沿った方向が第１配索材Ｗ１、第２配索材Ｗ２の配索方向Ｘに相当する。また、ベース１０は、底面部１１、側壁部１２、１３の外面に上述した窪み部１Ａ等が形成される。窪み部１Ａは、外面側から内部の配索空間部４０側に窪んだ部分であり、配索空間部４０側にえぐり込むように形成される。
【００２４】
カバー２０は、ベース１０に組み付けられ、当該ベース１０において底面部１１と板厚方向に対向する開口を塞ぐ（閉鎖する）ものである。カバー２０は、蓋部２１、及び、一対の鍔部２２、２３を含んで構成される（図５等も参照）。蓋部２１、鍔部２２、２３は、ベース１０の配索空間部４０を、底面部１１と対向する開口側で塞ぐための構造体である。蓋部２１は、板状に形成され、配索方向Ｘに沿って延在する。一対の鍔部２２、２３は、蓋部２１の各端部からそれぞれ蓋部２１の板厚方向に沿ってベース１０側に突出して形成され、配索方向Ｘに沿って延在する。カバー２０は、蓋部２１、及び、一対の鍔部２２、２３が一体で形成される。これにより、カバー２０は、略板形状に形成される。蓋部２１、及び、一対の鍔部２２、２３は、ベース１０（底面部１１、側壁部１２、１３）の形状にあわせて、全体として配索方向Ｘに沿って３次元的に湾曲して形成される。カバー２０は、係止機構３０を介してベース１０に係止され組み付けられた状態で、蓋部２１、及び、一対の鍔部２２、２３が配索空間部４０の底面部１１側とは反対側の開口を塞ぐ。また、カバー２０は、蓋部２１、鍔部２２、２３の外面に上述した窪み部１Ｂ、１Ｃ等が形成される。窪み部１Ｂ、１Ｃは、外面側から内部の配索空間部４０側に窪んだ部分であり、配索空間部４０側にえぐり込むように形成される。
【００２５】
上記のように構成されるプロテクタ１は、図２、図３、図４に示すように、ベース１０とカバー２０とによって形成される配索空間部４０に、配索方向Ｘに沿って一方の開口から他方の開口まで第１配索材Ｗ１、第２配索材Ｗ２が挿通される。そして、本実施形態のプロテクタ１は、配索空間部４０において、配索方向Ｘにおける位置に応じて第１配索材Ｗ１、第２配索材Ｗ２の並び方向が変わるように構成されている。本実施形態の配索空間部４０は、第１配索材Ｗ１と第２配索材Ｗ２との並び方向が異なる第１配索空間部４１、第２配索空間部４２、第３配索空間部４３、及び、第４配索空間部４４を含んで構成され、これらが配索方向Ｘに沿って連続している。
【００２６】
具体的には、本実施形態のプロテクタ１は、ベース１０、及び、カバー２０によって、第１配索部５１、第２配索部５２、第３配索部５３、及び、第４配索部５４が構成され、これらが配索方向Ｘに沿って連続している。そして、プロテクタ１は、第１配索部５１に第１配索空間部４１が形成され、第２配索部５２に第２配索空間部４２が形成され、第３配索部５３に第３配索空間部４３が形成され、第４配索部５４に第４配索空間部４４が形成される。第１配索部５１、第２配索部５２、第３配索部５３、及び、第４配索部５４は、それぞれがベース１０、カバー２０の一部分として構成される。言い換えれば、プロテクタ１は、それぞれがベース１０、カバー２０の一部分によって構成される第１配索部５１と、第２配索部５２と、第３配索部５３と、第４配索部５４とを備えるものである。
【００２７】
プロテクタ１は、配索方向Ｘに沿って一方側から他方側に向かって、第１配索部５１、第２配索部５２、第３配索部５３、及び、第４配索部５４の順で並んで相互に連続する。これに応じて、プロテクタ１は、第１配索空間部４１、第２配索空間部４２、第３配索空間部４３、及び、第４配索空間部４４も配索方向Ｘに沿って一方側から他方側に向かって順で並んで相互に連続する。本実施形態のプロテクタ１は、第１配索部５１の第２配索部５２側とは反対側の端部にコネクタ保持部５５を備える。また、本実施形態のプロテクタ１は、第４配索部５４の第３配索部５３側とは反対側の端部に外装材保持部５６を備える。コネクタ保持部５５、外装材保持部５６は、それぞれ保持鍔部等を含んで構成され、ベース１０とカバー２０との間に、それぞれコネクタＣＮ、コルゲートチューブＣＴを挟み込み保持する部分である。以下、図２、図３、図４、図５、図６、図７、図８、図９を参照して、第１配索部５１、第２配索部５２、第３配索部５３、及び、第４配索部５４の各構成について、詳細に説明する。
【００２８】
第１配索部５１は、図２、図３、図４、図５に示すように、ベース１０、カバー２０において、第１配索空間部４１が形成された部分である。第１配索空間部４１は、配索空間部４０において、配索方向Ｘに沿って配索される第１配索材Ｗ１及び第２配索材Ｗ２を、配索方向Ｘと直交する第１並列方向Ｙ（図５参照）に沿って並べて配索可能な空間部である。ここで、第１配索材Ｗ１及び第２配索材Ｗ２を第１並列方向Ｙに沿って並べて配索可能であるとは、典型的には、図５に示す配索方向Ｘと直交する断面視において、第１配索材Ｗ１及び第２配索材Ｗ２が第１並列方向Ｙに沿って並んだ状態で配索可能であることをいう。第１配索空間部４１は、コネクタ保持部５５側の部分において、第１並列方向Ｙに沿った幅が第１配索材Ｗ１及び第２配索材Ｗ２が並んで位置することできる幅となるように形成された空間部を含む。ここで、第１配索材Ｗ１及び第２配索材Ｗ２が並んで位置することできる幅とは、言い換えれば、第１配索材Ｗ１の外径と第２配索材Ｗ２の外径とを足し合わせた長さよりもやや長い幅である。また、第１配索空間部４１は、当該コネクタ保持部５５側の空間部において、配索方向Ｘ及び第１並列方向Ｙと直交する第２並列方向Ｚに沿った高さが第１配索材Ｗ１、第２配索材Ｗ２の外径１つ分の長さよりもやや長い高さに形成される。第１配索空間部４１は、当該コネクタ保持部５５側の空間部において、第１配索材Ｗ１及び第２配索材Ｗ２を第１並列方向Ｙに沿って並べて配索可能である。
【００２９】
そして、第１配索空間部４１は、図２、図３、図４、図６に示すように、第２配索部５２側の部分において、第２配索部５２側に向かって、第１並列方向Ｙに沿った幅が徐々に狭くなり、かつ、第２並列方向Ｚに沿った高さが徐々に高くなるように形成される。これにより、第１配索空間部４１は、当該第２配索部５２側の部分が第２配索部５２側に向かって第１配索材Ｗ１及び第２配索材Ｗ２の並び方向を徐々にずらし当該並び方向の変換を許容するような空間部として形成される。
【００３０】
第２配索部５２は、図２、図３、図４、図７に示すように、配索方向Ｘに沿って第１配索部５１と連続して設けられ、ベース１０、カバー２０において、第２配索空間部４２が形成された部分である。第２配索空間部４２は、配索空間部４０において、配索方向Ｘに沿って配索される第１配索材Ｗ１及び第２配索材Ｗ２を、配索方向Ｘ及び第１並列方向Ｙと直交する第２並列方向Ｚ（図７参照）に沿って並べて配索可能な空間部である。ここで、第１配索材Ｗ１及び第２配索材Ｗ２を第２並列方向Ｚに沿って並べて配索可能であるとは、典型的には、図７に示す配索方向Ｘと直交する断面視において、第１配索材Ｗ１及び第２配索材Ｗ２が第２並列方向Ｚに沿って並んだ状態で配索可能であることをいう。第２配索空間部４２は、第２並列方向Ｚに沿った高さが第１配索材Ｗ１及び第２配索材Ｗ２が並んで位置することできる高さとなるように形成された空間部を含む。ここで、第１配索材Ｗ１及び第２配索材Ｗ２が並んで位置することできる高さとは、言い換えれば、第１配索材Ｗ１の外径と第２配索材Ｗ２の外径とを足し合わせた長さよりもやや長い高さである。第２配索空間部４２は、当該空間部において、第１並列方向Ｙに沿った幅が第１配索材Ｗ１、第２配索材Ｗ２の外径１つ分の長さよりもやや長い幅に形成される。第２配索空間部４２は、当該空間部において、第１配索材Ｗ１及び第２配索材Ｗ２を第２並列方向Ｚに沿って並べて配索可能である。本実施形態の第２配索空間部４２は、当該空間部において、第１配索材Ｗ１を第２並列方向Ｚの底面部１１側に位置させ、かつ、第２配索材Ｗ２を第２並列方向Ｚのカバー２０側に位置させて配索可能である。
【００３１】
第３配索部５３は、図２、図３、図４、図８に示すように、配索方向Ｘに沿って第２配索部５２の第１配索部５１側とは反対側で連続して設けられ、ベース１０、カバー２０において、第３配索空間部４３が形成された部分である。第３配索空間部４３は、配索空間部４０において、配索方向Ｘに沿って配索される第１配索材Ｗ１及び第２配索材Ｗ２を、第１並列方向Ｙ及び第２並列方向Ｚにずらして配索可能な空間部である。ここで、第１配索材Ｗ１及び第２配索材Ｗ２を第１並列方向Ｙ及び第２並列方向Ｚにずらして配索可能であるとは、典型的には、図８に示す配索方向Ｘと直交する断面視において、第１配索材Ｗ１及び第２配索材Ｗ２が第１並列方向Ｙ及び第２並列方向Ｚにずれた状態で配索可能であることをいう。第３配索空間部４３は、第１配索空間部４１と同様に、第１並列方向Ｙに沿った幅が第１配索材Ｗ１及び第２配索材Ｗ２が並んで位置することできる幅となるように形成された空間部を含む。そして、第３配索空間部４３は、さらに、当該空間部において、第２配索空間部４２と同様に、第２並列方向Ｚに沿った高さが第１配索材Ｗ１及び第２配索材Ｗ２が並んで位置することできる高さとなるように形成される。第３配索空間部４３は、当該空間部において、第１配索材Ｗ１及び第２配索材Ｗ２を第１並列方向Ｙ及び第２並列方向Ｚにずらして配索可能である。
【００３２】
そして、第３配索空間部４３は、図２、図３、図４に示すように、第２配索部５２側の部分において、第２配索部５２側に向かって、第１並列方向Ｙに沿った幅が徐々に狭くなり、かつ、第２並列方向Ｚに沿った高さが徐々に高くなるように形成される。これにより、第３配索空間部４３は、当該第２配索部５２側の部分が第２配索部５２側に向かって第１配索材Ｗ１及び第２配索材Ｗ２の並び方向を徐々にずらし当該並び方向の変換を許容するような空間部として形成される。同様に、第３配索空間部４３は、第４配索部５４側の部分において、第４配索部５４側に向かって、第１並列方向Ｙに沿った幅が徐々に狭くなり、かつ、第２並列方向Ｚに沿った高さが徐々に高くなるように形成される。これにより、第３配索空間部４３は、当該第４配索部５４側の部分が第４配索部５４側に向かって第１配索材Ｗ１及び第２配索材Ｗ２の並び方向を徐々にずらし当該並び方向の変換を許容するような空間部として形成される。
【００３３】
また、本実施形態の第３配索部５３は、図２、図３、図４に示すように、第３配索空間部４３内で第１配索材Ｗ１及び第２配索材Ｗ２を第１並列方向Ｙの一方側に湾曲させて配索可能に形成されている。つまり、第３配索部５３は、全体が第１並列方向Ｙの一方側に湾曲して形成される。第３配索部５３は、第３配索空間部４３内で、第２並列方向Ｚに対して、第１配索材Ｗ１を底面部１１側に、第２配索材Ｗ２をカバー２０側にずらし（図８も参照）、かつ、第１並列方向Ｙに対して、第１配索材Ｗ１を湾曲内側に位置させ、第２配索材Ｗ２を湾曲外側に位置させて配索可能である。
【００３４】
ここで、上述した第１配索部５１は、第１配索空間部４１内で、第１並列方向Ｙに対して、第１配索材Ｗ１を湾曲外側に位置させ、かつ、第２配索材Ｗ２を湾曲内側に位置させて配索可能である。そして、上述した第２配索部５２は、第２配索空間部４２内で、第１並列方向Ｙに対して第１配索材Ｗ１と第２配索材Ｗ２とを交差させ当該第１並列方向Ｙの並び位置を入れ替えて配索可能である。つまり、第２配索部５２は、第２配索空間部４２内で、第１並列方向Ｙに対して、第１配索材Ｗ１を湾曲外側から湾曲内側に、第２配索材Ｗ２を湾曲内側から湾曲外側に入れ替えて配索可能である。したがって、第１配索材Ｗ１は、上述の第１配索空間部４１においては湾曲外側に位置し、第２配索空間部４２内で第２配索材Ｗ２の底面部１１側を通って第２配索材Ｗ２と交差し、第３配索空間部４３においては湾曲内側に位置する。一方、第２配索材Ｗ２は、上述の第１配索空間部４１においては湾曲内側に位置し、第２配索空間部４２内で第１配索材Ｗ１のカバー２０側を通って第１配索材Ｗ１と交差し、第３配索空間部４３においては湾曲外側に位置する。
【００３５】
第４配索部５４は、図２、図３、図４、図９に示すように、配索方向Ｘに沿って第３配索部５３の第２配索部５２側とは反対側で連続して設けられ、ベース１０、カバー２０において、第４配索空間部４４が形成された部分である。第４配索空間部４４は、第２配索空間部４２と同様に、配索空間部４０において、配索方向Ｘに沿って配索される第１配索材Ｗ１及び第２配索材Ｗ２を、第２並列方向Ｚに沿って並べて配索可能な空間部である。ここで、第１配索材Ｗ１及び第２配索材Ｗ２を第２並列方向Ｚに沿って並べて配索可能であるとは、典型的には、上記と同様に、図９に示す配索方向Ｘと直交する断面視において、第１配索材Ｗ１及び第２配索材Ｗ２が第２並列方向Ｚに沿って並んだ状態で配索可能であることをいう。第４配索空間部４４は、第２配索空間部４２と同様に、第２並列方向Ｚに沿った高さが第１配索材Ｗ１及び第２配索材Ｗ２が並んで位置することできる高さとなるように形成された空間部を含む。また、第４配索空間部４４は、第２配索空間部４２と同様に、当該空間部において、第１並列方向Ｙに沿った幅が第１配索材Ｗ１、第２配索材Ｗ２の外径１つ分の長さよりもやや長い幅に形成される。第４配索空間部４４は、当該空間部において、第１配索材Ｗ１及び第２配索材Ｗ２を第２並列方向Ｚに沿って並べて配索可能である。本実施形態の第４配索空間部４４は、第２配索空間部４２と同様に、当該空間部において、第１配索材Ｗ１を第２並列方向Ｚの底面部１１側に位置させ、かつ、第２配索材Ｗ２を第２並列方向Ｚのカバー２０側に位置させて配索可能である。
【００３６】
そして、本実施形態のプロテクタ１は、図１０、図１１、図１２、図１３、図１４、図１５に示すように、さらに、規制突起部５７と、傾斜壁部５８と、ヒンジカバー５９とを備えている。この構成により、プロテクタ１は、第１配索空間部４１、第２配索空間部４２、第３配索空間部４３、第４配索空間部４４において、それぞれ第１配索材Ｗ１、第２配索材Ｗ２の並び方向を適正に維持することができるようにしている。
【００３７】
規制突起部５７は、第２配索部５２に第２配索空間部４２側に突出して形成される部分である。そして、規制突起部５７は、第２配索空間部４２内で第１配索材Ｗ１及び第２配索材Ｗ２が第２並列方向Ｚに沿って並んで配索された状態で当該第１配索材Ｗ１及び当該第２配索材Ｗ２に当接し配索経路を規制可能な部分である（図７も参照）。
【００３８】
規制突起部５７は、ベース１０に当該ベース１０と一体で形成される。本実施形態の規制突起部５７は、リブ部５７Ａ、及び、突出角部５７Ｂを含んで構成される。
【００３９】
リブ部５７Ａは、ベース１０の側壁部１２の第１内壁面１２ａから突出し第２並列方向Ｚに沿って延在して柱状に形成された部分である。リブ部５７Ａが形成される第１内壁面１２ａは、第２配索部５２において第２配索空間部４２を形成する壁面であり、第３配索部５３において湾曲外側となる側壁部１２の第２配索空間部４２側の壁面である（図７も参照）。
【００４０】
突出角部５７Ｂは、ベース１０の側壁部１３の第２内壁面１３ａに角部状に突出して形成された部分である。突出角部５７Ｂが形成される第２内壁面１３ａは、第２配索部５２において第１並列方向Ｙに対して第１内壁面１２ａと対向し、かつ、第２配索空間部４２を形成する壁面であり、第３配索部５３において湾曲内側となる側壁部１３の第２配索空間部４２側の壁面である（図７も参照）。突出角部５７Ｂは、第１並列方向Ｙに沿って第２配索空間部４２に突出するように角部を形成する。突出角部５７Ｂは、その頂点部分（稜線部分）が第２並列方向Ｚに沿って延在する。
【００４１】
リブ部５７Ａ、及び、突出角部５７Ｂは、配索方向Ｘに対して、窪み部１Ａの第１配索部５１側の位置、言い換えれば、窪み部１Ａと第１配索部５１との間の位置に設けられている。そして、リブ部５７Ａの頂点部分と突出角部５７Ｂの頂点部分とは、第１並列方向Ｙに対して、第２配索空間部４２を挟んで対向して位置している（図７も参照）。リブ部５７Ａと突出角部５７Ｂとの第１並列方向Ｙに沿った間隔は、第１配索材Ｗ１、第２配索材Ｗ２の外径１つ分の長さとほぼ同等の間隔に形成される。言い換えれば、リブ部５７Ａ、及び、突出角部５７Ｂは、第２配索空間部４２における第１並列方向Ｙの配索経路幅を、第１配索材Ｗ１、第２配索材Ｗ２のいずれか一方分の幅に絞り込む部分である。そして、本実施形態の突出角部５７Ｂは、第１配索材Ｗ１及び第２配索材Ｗ２の配索経路の第１並列方向Ｙに沿った幅Ｄ１（図１０参照）を、第１配索部５１側から離間し当該突出角部５７Ｂの頂点部分に近接するにしたがって徐々に絞り込むように傾斜面５７Ｂａを有して形成されている。これにより、規制突起部５７は、リブ部５７Ａと突出角部５７Ｂとによって、第２配索空間部４２内で第１配索材Ｗ１及び第２配索材Ｗ２が第２並列方向Ｚに沿って並んで配索された状態で配索経路を規制することができる。
【００４２】
傾斜壁部５８は、第１配索部５１の第１配索空間部４１内の第２配索部５２側の端部に設けられる部分である。傾斜壁部５８は、第１配索空間部４１内で第２配索材Ｗ２を第１配索材Ｗ１に対して第２並列方向Ｚに沿って徐々にずらして配索可能な部分である。
【００４３】
傾斜壁部５８は、ベース１０に当該ベース１０と一体で形成される。傾斜壁部５８は、底面部１１と側壁部１３とが交わる角部に形成されている。傾斜壁部５８は、図１６にも示すように、底面部１１から第２並列方向Ｚに沿って第２配索空間部４２側に突出し、かつ、配索方向Ｘに沿って延在して形成される。傾斜壁部５８は、第２配索部５２側の端部において、上述した突出角部５７Ｂと交わり、当該突出角部５７Ｂの頂点部分近傍まで延在する。本実施形態の傾斜壁部５８は、傾斜面５８ａ、及び、規制面５８ｂを含んで構成される。
【００４４】
傾斜面５８ａは、第２配索材Ｗ２の一部と当接し配索経路を案内可能な面であり、傾斜壁部５８において、第２並列方向Ｚに沿ってカバー２０と対向する面である。傾斜面５８ａは、配索方向Ｘに沿ってコネクタ保持部５５から離間し第２配索部５２側に近接するにしたがって徐々に底面部１１からの突出量が増加するように傾斜して形成される（図１６参照）。この構成により、傾斜壁部５８は、傾斜面５８ａによって、第２配索材Ｗ２を第１配索材Ｗ１に対して、第２配索部５２側に近接するにしたがって徐々に底面部１１側から離間させるようにずらして配索することができる。これにより、傾斜壁部５８は、第２配索空間部４２内で第１配索材Ｗ１を第２並列方向Ｚの底面部１１側に位置させ、かつ、第２配索材Ｗ２を第２並列方向Ｚのカバー２０側に位置させることが可能となる。
【００４５】
規制面５８ｂは、第１配索空間部４１内で第１並列方向Ｙに沿って第１配索材Ｗ１と隣接し、当該第１配索材Ｗ１と当接し配索経路を規制可能な面である。ここでは、規制面５８ｂは、傾斜壁部５８において、第１並列方向Ｙに沿って側壁部１２と対向する面である（図６も参照）。言い換えれば、規制面５８ｂは、傾斜壁部５８の側面に相当する。この構成により、傾斜壁部５８は、規制面５８ｂによって、第１配索材Ｗ１の配索経路を規制することができる。
【００４６】
ヒンジカバー５９は、第３配索部５３に設けられ、第１配索材Ｗ１の浮を防止する部材である（図１２、図１４等参照）。ヒンジカバー５９は、ベース１０に当該ベース１０と一体で形成される。ヒンジカバー５９は、第３配索部５３において、ヒンジ部を介してベース１０の側壁部１３に回動可能に支持される。ヒンジカバー５９は、図１７に示すように、第３配索空間部４３の外側に開放された状態で、第３配索空間部４３への第１配索材Ｗ１の配索を可能とする。一方、ヒンジカバー５９は、図４、図１２、図１４等に示すように、第３配索空間部４３内に回動され係止された状態で、底面部１１との間に第１配索材Ｗ１を挟み込み、当該第１配索材Ｗ１を保持することとができる。この構成により、ヒンジカバー５９は、第３配索空間部４３内で第１配索材Ｗ１の浮を上がりを防止することができる。ヒンジカバー５９は、配索空間部４０に第２配索材Ｗ２が配索された状態では、第１配索材Ｗ１と第２配索材Ｗ２との間に介在して位置する。
【００４７】
上記のように構成されるプロテクタ１は、図１７に示すように、ヒンジカバー５９が第３配索空間部４３の外側に開放された状態で、第１配索材Ｗ１を底面部１１に載置するようにして配索空間部４０に配索される。その後、プロテクタ１は、ヒンジカバー５９が第３配索空間部４３内に回動され係止された状態とされる。そして、プロテクタ１は、図４等に示すように、配索空間部４０において、第１配索材Ｗ１及びヒンジカバー５９の上側（カバー２０側）に第２配索材Ｗ２が配索された後、ベース１０にカバー２０が係止され組み付けられる。
【００４８】
この状態で、第１配索材Ｗ１、及び、第２配索材Ｗ２は、配索方向Ｘに沿って、第１配索空間部４１、第２配索空間部４２、第３配索空間部４３、及び、第４配索空間部４４に渡って挿通される。第１配索材Ｗ１、及び、第２配索材Ｗ２は、第１配索空間部４１内で、第１配索材Ｗ１が湾曲外側に位置し、第２配索材Ｗ２が湾曲内側に位置して、第１並列方向Ｙに沿って並んで配索される。また、第１配索材Ｗ１、及び、第２配索材Ｗ２は、第２配索空間部４２内で、第１配索材Ｗ１が底面部１１側に位置し、第２配索材Ｗ２がカバー２０側に位置して、第２並列方向Ｚに沿って並び、かつ、第１並列方向Ｙに対して交差して配索される。さらに、第１配索材Ｗ１、及び、第２配索材Ｗ２は、第３配索空間部４３内で、第１配索材Ｗ１が底面部１１側でかつ湾曲内側に位置し、第２配索材Ｗ２がカバー２０側でかつ湾曲外側に位置して、第１並列方向Ｙ及び第２並列方向Ｚにずれて配索される。そして、第１配索材Ｗ１、及び、第２配索材Ｗ２は、第４配索空間部４４内で、再び、第１配索材Ｗ１が底面部１１側に位置し、第２配索材Ｗ２がカバー２０側に位置して、第２並列方向Ｚに沿って並んで配索される。
【００４９】
そして、プロテクタ１は、規制突起部５７、傾斜壁部５８、ヒンジカバー５９によって、上記のように配索空間部４０に配索される第１配索材Ｗ１、第２配索材Ｗ２の並び方向を適正に維持し、配索経路を適正に規制することができる。
【００５０】
以上で説明したプロテクタ１、ワイヤハーネスＷＨは、配索方向Ｘに沿って配索される第１配索材Ｗ１及び第２配索材Ｗ２の並び方向を、第１配索部５１では第１並列方向Ｙとし、第２配索部５２では第１並列方向Ｙと直交する第２並列方向Ｚとすることができる。この場合に、プロテクタ１は、第２配索部５２で第１配索材Ｗ１及び第２配索材Ｗ２が第２並列方向Ｚに沿って並んで配索された状態で、規制突起部５７によって第１配索材Ｗ１及び第２配索材Ｗ２の配索経路を規制することができる。この構成により、プロテクタ１は、例えば、車両に搭載された状態で当該プロテクタ１の周囲に干渉物が存在するような場合であっても、第１配索材Ｗ１、第２配索材Ｗ２の配索経路を、当該干渉物を避けるようにして位置決めして配索することができる。ここでは、プロテクタ１は、当該規制突起部５７が窪み部１Ａと第１配索材Ｗ１との間に設けられている。これにより、プロテクタ１は、第１配索材Ｗ１、第２配索材Ｗ２を、配索空間部４０にえぐりこむように形成される窪み部１Ａと干渉することを防止することができ、窪み部１Ａを避けながら配索することができる。この結果、プロテクタ１、ワイヤハーネスＷＨは、適正に第１配索材Ｗ１、第２配索材Ｗ２を配索することができる。これにより、プロテクタ１、ワイヤハーネスＷＨは、例えば、車両搭載時の要求隙を適正に確保することができる。
【００５１】
ここでは、以上で説明したプロテクタ１、ワイヤハーネスＷＨは、規制突起部５７がリブ部５７Ａ、及び、突出角部５７Ｂを含んで構成される。この構成により、プロテクタ１、ワイヤハーネスＷＨは、リブ部５７Ａと突出角部５７Ｂとによって、第２配索空間部４２内で第１配索材Ｗ１及び第２配索材Ｗ２が第２並列方向Ｚに沿って並んで配索された状態となるように適正に配索経路を規制することができる。
【００５２】
また、以上で説明したプロテクタ１、ワイヤハーネスＷＨは、突出角部５７Ｂが第１配索材Ｗ１及び第２配索材Ｗ２の配索経路の第１並列方向Ｙに沿った幅Ｄ１を、第１配索部５１側から離間するにしたがって徐々に絞り込むように形成される。この構成により、プロテクタ１は、第１配索材Ｗ１及び第２配索材Ｗ２の並び方向を、第１配索部５１側から第２配索部５２側に向かって突出角部５７Ｂによって徐々に変えるようにすることができる。この結果、プロテクタ１、ワイヤハーネスＷＨは、より適正に第１配索材Ｗ１、第２配索材Ｗ２を配索することができる。
【００５３】
また、以上で説明したプロテクタ１、ワイヤハーネスＷＨは、配索方向Ｘに沿って配索される第１配索材Ｗ１及び第２配索材Ｗ２の並び方向を、第３配索部５３では第１並列方向Ｙ及び第２並列方向Ｚにずらすことができる。この場合に、プロテクタ１は、第２配索部５２の第２配索空間部４２内で第１並列方向Ｙに対して第１配索材Ｗ１と第２配索材Ｗ２とを交差させ並び位置を入れ替えることができる。そして、プロテクタ１は、第１配索材Ｗ１と第２配索材Ｗ２とが交差する位置に規制突起部５７が設けられることで、交差する第１配索材Ｗ１、第２配索材Ｗ２の配索経路を適正に規制することができる。この結果、プロテクタ１、ワイヤハーネスＷＨは、車両に搭載された状態で当該プロテクタ１の周囲の干渉物、例えば、窪み部１Ｂ、１Ｃ等の位置に応じてより適正な配索経路で第１配索材Ｗ１及び第２配索材Ｗ２を配索することができる。
【００５４】
ここでは、以上で説明したプロテクタ１、ワイヤハーネスＷＨは、第３配索部５３の第３配索空間部４３内で第１配索材Ｗ１及び第２配索材Ｗ２を第１並列方向の一方側に湾曲させで配索することができる。この場合に、プロテクタ１は、第１並列方向Ｙに対して、第１配索材Ｗ１を湾曲内側に位置させ、第２配索材Ｗ２を湾曲外側に位置させて配索可能である。つまり、このプロテクタ１は、第１配索部５１、第２配索部５２、第３配索部５３に渡って、第１配索材Ｗ１を湾曲外側から湾曲内側に、第２配索材Ｗ２を湾曲内側から湾曲外側に入れ替えて配索することができる。この結果、プロテクタ１は、第３配索部５３において第１配索材Ｗ１及び第２配索材Ｗ２を湾曲させで配索する場合であっても、湾曲する方向に対して第１配索材Ｗ１、第２配索材Ｗ２の内外を入れ替えることで、第１配索材Ｗ１、第２配索材Ｗ２の双方を比較的に大回りで無理なく小さな曲率で湾曲させることができる。この点でも、プロテクタ１、ワイヤハーネスＷＨは、適正に第１配索材Ｗ１、第２配索材Ｗ２を配索することができる。
【００５５】
また、以上で説明したプロテクタ１、ワイヤハーネスＷＨは、第１配索部５１の第１配索空間部４１内の第２配索部５２側の端部において、傾斜壁部５８によって、第２配索材Ｗ２を第１配索材Ｗ１に対して第２並列方向Ｚに沿って徐々にずらして引っ掛かりなく配索することができる。この構成により、プロテクタ１は、第２配索空間部４２内で滑らかに第１配索材Ｗ１を第２並列方向Ｚの底面部１１側に位置させ、かつ、第２配索材Ｗ２を第２並列方向Ｚのカバー２０側に位置させることができる。この点でも、プロテクタ１、ワイヤハーネスＷＨは、適正に第１配索材Ｗ１、第２配索材Ｗ２を配索することができる。
【００５６】
さらに、以上で説明したプロテクタ１、ワイヤハーネスＷＨは、傾斜壁部５８において第１並列方向Ｙに沿って第１配索材Ｗ１と隣接する面が当該第１配索材Ｗ１の配索経路を規制する規制面５８ｂとして兼用される。この構成により、プロテクタ１は、第１配索材Ｗ１の第１配索空間部４１において、規制面５８ｂによって第１配索材Ｗ１を適正に位置決めして配索することができる。この点でも、プロテクタ１、ワイヤハーネスＷＨは、適正に第１配索材Ｗ１、第２配索材Ｗ２を配索することができる。
【００５７】
なお、上述した本発明の実施形態に係るプロテクタ、及び、ワイヤハーネスは、上述した実施形態に限定されず、特許請求の範囲に記載された範囲で種々の変更が可能である。
【００５８】
以上の説明では、プロテクタ１は、第１配索材Ｗ１、第２配索材Ｗ２が湾曲されて配索されるものとして説明したがこれに限らず、直線状に配索されるものであってもよい。つまり、第１配索材Ｗ１、第２配索材Ｗ２の配索方向Ｘは、湾曲した形状であるものとして説明したがこれに限らず、また、第３配索部５３は、湾曲していなくてもよい。
【００５９】
以上の説明では、第３配索部５３は、第３配索空間部４３で、第１並列方向Ｙに対して、第１配索材Ｗ１を湾曲内側に位置させ、第２配索材Ｗ２を湾曲外側に位置させて配索可能であるものとして説明したがこれに限らない。
【００６０】
以上の説明では、プロテクタ１は、第３配索部５３、第４配索部５４を備えるものとして説明したがこれに限らず、少なくとも第１配索部５１、第２配索部５２を備えていればよい。
【００６１】
以上の説明では、プロテクタ１は、規制突起部５７と、傾斜壁部５８と、ヒンジカバー５９とを備えるものとして説明したがこれに限らず、少なくとも規制突起部５７を備えていればよい。
【００６２】
以上の説明では、規制突起部５７、傾斜壁部５８、ヒンジカバー５９は、ベース１０と一体で形成されるものとして説明したがこれに限らず、ベース１０とは別体に形成され、ベース１０に組み付けられるものであってもよい。
【００６３】
以上の説明では、規制突起部５７は、リブ部５７Ａ、及び、突出角部５７Ｂを含んで構成されるものとして説明したがこれに限らず、例えば、いずれか一方のみによって構成されてもよい。
【００６４】
以上の説明では、突出角部５７Ｂは、第１配索材Ｗ１及び第２配索材Ｗ２の配索経路の第１並列方向Ｙに沿った幅Ｄ１を、第１配索部５１側から離間するにしたがって徐々に絞り込むように形成されるものとして説明したがこれに限らない。
【００６５】
本実施形態に係るプロテクタ、及び、ワイヤハーネスは、以上で説明した実施形態、変形例の構成要素を適宜組み合わせることで構成してもよい。
【符号の説明】
【００６６】
１    プロテクタ
１Ａ、１Ｂ、１Ｃ    窪み部
１０    ベース
１１    底面部
１２、１３    側壁部
１２ａ    第１内壁面
１３ａ    第２内壁面
２０    カバー
２１    蓋部
２２、２３    鍔部
３０    係止機構
４０    配索空間部
４１    第１配索空間部
４２    第２配索空間部
４３    第３配索空間部
４４    第４配索空間部
５１    第１配索部
５２    第２配索部
５３    第３配索部
５４    第４配索部
５５    コネクタ保持部
５６    外装材保持部
５７    規制突起部
５７Ａ    リブ部
５７Ｂ    突出角部
５７Ｂａ、５８ａ    傾斜面
５８    傾斜壁部
５８ｂ    規制面
５９    ヒンジカバー
Ｗ    配索材
Ｗ１    第１配索材
Ｗ２    第２配索材
ＷＨ    ワイヤハーネス
Ｘ    配索方向
Ｙ    第１並列方向
Ｚ    第２並列方向
【図１】
2020182342.tif 000003
【図２】
2020182342.tif 000004
【図３】
2020182342.tif 000005
【図４】
2020182342.tif 000006
【図５】
2020182342.tif 000007
【図６】
2020182342.tif 000008
【図７】
2020182342.tif 000009
【図８】
2020182342.tif 000010
【図９】
2020182342.tif 000011
【図１０】
2020182342.tif 000012
【図１１】
2020182342.tif 000013
【図１２】
2020182342.tif 000014
【図１３】
2020182342.tif 000015
【図１４】
2020182342.tif 000016
【図１５】
2020182342.tif 000017
【図１６】
2020182342.tif 000018
【図１７】
2020182342.tif 000019